(57)【要約】【課題】ミスト発生装置から冷水が噴出されることを防止するとともに、高温水が浴室内の洗い場に排出されることを防止することができる貯湯式給湯機を提供すること。【解決手段】湯水を貯える貯湯タンク１と、湯水をミスト状に噴出するミスト発生装置９と、貯湯タンク１の高温水を出湯する出湯管３と、給水源から水を供給する給水管７０と、出湯管３と給水管７０が接続され湯と水とを混合する湯水混合装置６と、湯水混合装置６からの湯水の温度を検出するミスト温度検出手段４８と、湯水混合装置６を制御する制御装置３０とを備え、ミスト発生装置９から湯水をミスト状に噴出開始するミスト運転ＯＮ信号を、制御装置３０が受信したときに、制御装置３０はミスト温度検出手段４８の値に基づいて湯水混合装置６を制御する。【選択図】図１
2008095980.tif 000002
【特許請求の範囲】
【請求項１】
湯水を貯える貯湯タンクと、湯水をミスト状に噴出するミスト発生装置と、前記貯湯タンクの高温水を出湯する出湯管と、給水源から水を供給する給水管と、前記出湯管と前記給水管が接続され湯と水とを混合する湯水混合装置と、前記湯水混合装置からの湯水の温度を検出するミスト温度検出手段と、前記湯水混合装置を制御する制御装置とを備え、前記ミスト発生装置から湯水をミスト状に噴出開始するミスト運転ＯＮ信号を、前記制御装置が受信したときに、前記制御装置は前記ミスト温度検出手段の値に基づいて前記湯水混合装置を制御することを特徴とする貯湯式給湯機。
【請求項２】
ミスト発生装置へ供給する湯水の設定温度を設定することができるリモコンを備え、制御装置がミスト運転ＯＦＦ信号からミスト運転ＯＮ信号に切り替わったことを受信すると、第１の設定時間の間は、前記リモコンで設定した前記ミスト発生装置へ供給する湯水の設定温度よりも低い温度になるように湯水混合装置を制御することを特徴とする請求項１に記載の貯湯式給湯機。
【請求項３】
ミスト発生装置へ供給する湯水の設定温度を設定することができるリモコンを備え、制御装置がミスト運転ＯＦＦ信号を第２の設定時間以上受信したあとに、ミスト運転ＯＮ信号を受信すると、第１の設定時間の間は、前記リモコンで設定した前記ミスト発生装置へ供給する湯水の設定温度よりも低い温度になるように湯水混合装置を制御することを特徴とする請求項１に記載の貯湯式給湯機。
【請求項４】
ミスト運転ＯＮ信号を受信してから第１の設定時間経過後、ミスト運転ＯＮ信号を受信してから第３の設定時間が経過するまでは、リモコンで設定したミスト発生装置へ供給する湯水の設定温度よりも高い温度になるように湯水混合装置を制御することを特徴とする請求項２または３に記載の貯湯式給湯機。
【請求項５】
ミスト運転ＯＮ信号を受信してから第３の設定時間経過すると、リモコンで設定したミスト発生装置へ供給する湯水の設定温度になるように湯水混合装置を制御することを特徴とする請求項４に記載の貯湯式給湯機。
【請求項６】
外気温度を検出する外気温度検出手段を備え、ミスト運転ＯＮ信号を受信してから第３の設定時間経過すると、リモコンで設定したミスト発生装置へ供給する湯水の設定温度を外気温度で補正した温度になるように湯水混合装置を制御することを特徴とする請求項４に記載の貯湯式給湯機。
【請求項７】
ミスト発生装置へ供給する湯水の設定温度を設定することができるリモコンを備え、制御装置が第２の設定時間経過する前に、ミスト運転ＯＮ信号を受信すると、前記リモコンで設定した前記ミスト発生装置へ供給する湯水の設定温度になるように湯水混合装置を制御することを特徴とする請求項１〜６のいずれか１項に記載の貯湯式給湯機。
【請求項８】
ミスト発生装置へ供給する湯水の設定温度を設定することができるリモコンと、外気温度を検出する外気温度検出手段とを備え、制御装置がミスト運転ＯＦＦ信号を第２の設定時間経過する前に、ミスト運転ＯＮ信号を受信すると、前記リモコンで設定した前記ミスト発生装置へ供給する湯水の設定温度を外気温度で補正した温度になるように湯水混合装置を制御することを特徴とする請求項１〜６のいずれか１項に記載の貯湯式給湯機。
【請求項９】
ミスト運転ＯＮ信号を受信してから第４の設定時間が経過すると、制御装置がリモコンで設定したミスト発生装置へ供給する湯水の設定温度よりも低い温度になるように湯水混合装置を制御することを特徴とする請求項１〜８のいずれか１項に記載の貯湯式給湯機。
【発明の詳細な説明】
【技術分野】
【０００１】
本発明は、ミスト発生装置を有した貯湯式給湯機に関する。
【背景技術】
【０００２】
従来のミスト発生装置は、水と湯とを適温に混合し、ミスト状に湯水を噴出するものであった（例えば、特許文献１参照）。
【０００３】
図８は、従来のミスト発生装置の構成を示すものである。図８において、給水源１０１から給湯装置１０２に水が供給され、給湯装置１０２から湯が供給される。給湯装置１０２から出湯された湯は、混合弁１０３にて水と混合される。適温に混合された湯は、ミスト発生装置１０４からミスト状に噴出される。
【特許文献１】特開２００５−３４２０８７号公報
【発明の開示】
【発明が解決しようとする課題】
【０００４】
しかしながら、従来の構成では、ミスト運転開始直後には、配管内に残っている冷水がミスト発生装置に供給されるために、ミスト発生装置からは冷水がミスト状に噴出され、ユーザーに不快感を与えてしまっていた。
【０００５】
これに対して、ミスト発生装置内の湯をミスト状に噴出するミストノズルよりも上流側に三方弁を設け、一方の出力側をミストノズルに、もう一方の出力側に配管を接続し、浴室などに湯水を排水できる構成とすることで、ミスト運転開始直後は、三方弁を浴室に繋がる配管側に切り替え、所定時間経過後に三方弁をミストノズル側に切り替えることで、配管内に残っている冷水は浴室に排出でき、所定時間経過して所定温度になった湯をミストノズルに通湯することで、冷水がミスト状に噴出されることを防止し、ユーザーに不快感を与えるのを防止することが考えられる。
【０００６】
しかしながら、配管長が分からないために、どれくらいの間三方弁を切り替えて冷水を排出すればよいか分からず、排出時間を長時間設定した場合には、冷水の排出が終わり、熱湯が排出されてくるという課題を有していた。
【０００７】
本発明は、前記従来の課題を解決するもので、ミスト発生装置から冷水が噴出されることを防止するとともに、高温水が浴室内の洗い場に排出されることを防止することができる貯湯式給湯機を提供することを目的とする。
【課題を解決するための手段】
【０００８】
前記従来の課題を解決するために、本発明の貯湯式給湯機は、湯水を貯える貯湯タンクと、湯水をミスト状に噴出するミスト発生装置と、前記貯湯タンクの高温水を出湯する出湯管と、給水源から水を供給する給水管と、前記出湯管と前記給水管が接続され湯と水とを混合する湯水混合装置と、前記湯水混合装置からの湯水の温度を検出するミスト温度検出手段と、前記湯水混合装置を制御する制御装置とを備え、前記ミスト発生装置から湯水をミスト状に噴出開始するミスト運転ＯＮ信号を、前記制御装置が受信したときに、前記制御装置は前記ミスト温度検出手段の値に基づいて前記湯水混合装置を制御することにより、ミスト発生装置に供給される湯の温度が制御される構成となるので、配管内に残る水を浴室に排出するときも、高温水を流すことを防止し、また冷水をミスト発生装置から噴出する構成でないので、快適なミスト浴を楽しむことができる。
【発明の効果】
【０００９】
本発明は、ミスト発生装置から冷水が噴出されることを防止するとともに、高温水が浴室内の洗い場に排出されることを防止することができる貯湯式給湯機を提供することができる。
【発明を実施するための最良の形態】
【００１０】
第１の発明の貯湯式給湯機は、湯水を貯える貯湯タンクと、湯水をミスト状に噴出するミスト発生装置と、前記貯湯タンクの高温水を出湯する出湯管と、給水源から水を供給する給水管と、前記出湯管と前記給水管が接続され湯と水とを混合する湯水混合装置と、前記湯水混合装置からの湯水の温度を検出するミスト温度検出手段と、前記湯水混合装置を制御する制御装置とを備え、前記ミスト発生装置から湯水をミスト状に噴出開始するミスト運転ＯＮ信号を、前記制御装置が受信したときに、前記制御装置は前記ミスト温度検出手段の値に基づいて前記湯水混合装置を制御することにより、出湯温度を高温以外に設定して出湯することができ、浴室内に排出するときにも、洗い場に高温水を流すことを防止し、またミスト発生装置には冷水を供給しないので、快適なミスト浴を楽しむことができる。
【００１１】
第２の発明の貯湯式給湯機は、特に第１の発明において、ミスト発生装置へ供給する湯水の設定温度を設定することができるリモコンを備え、制御装置がミスト運転ＯＦＦ信号からミスト運転ＯＮ信号に切り替わったことを受信すると、第１の設定時間の間は、前記リモコンで設定した前記ミスト発生装置へ供給する湯水の設定温度よりも低い温度になるように湯水混合装置を制御することにより、第１の設定時間の間は、確実に設定温度よりも低い温度になるように湯水が混合されるので、浴室内に排出するときに、高温水を流すことを防止し、またミスト発生装置には冷水を供給しないので、快適なミスト浴を楽しむことができる。
【００１２】
第３の発明の貯湯式給湯機は、特に第１の発明において、ミスト発生装置へ供給する湯水の設定温度を設定することができるリモコンを備え、制御装置がミスト運転ＯＦＦ信号を第２の設定時間以上受信したあとに、ミスト運転ＯＮ信号を受信すると、第１の設定時間の間は、前記リモコンで設定した前記ミスト発生装置へ供給する湯水の設定温度よりも低い温度になるように湯水混合装置を制御することにより、第２の設定時間を設けることで、前回のミスト運転から、次のミスト運転を行うまでの時間によっては、配管内の湯温は低下していないので、そのままミスト発生装置に湯を供給でき、排出する必要の無い湯水を、排出してしまって無駄に貯湯タンクに貯えている湯水を使用することを防止することができる。
【００１３】
第４の発明の貯湯式給湯機は、特に第２または第３の発明において、ミスト運転ＯＮ信号を受信してから第１の設定時間経過後、ミスト運転ＯＮ信号を受信してから第３の設定時間が経過するまでは、リモコンで設定したミスト発生装置へ供給する湯水の設定温度よりも高い温度になるように湯水混合装置を制御することにより、第１の設定時間の間は設定温度よりも低い温度で湯水を混合しているので、浴室内の温度を素早く立ち上げることができる。
【００１４】
第５の発明の貯湯式給湯機は、特に第４の発明において、ミスト運転ＯＮ信号を受信してから第３の設定時間経過すると、リモコンで設定したミスト発生装置へ供給する湯水の設定温度になるように湯水混合装置を制御することにより、浴室内の温度が十分に立ち上がったとして、設定温度になるように湯水を混合し、ミスト発生装置に湯水を供給するので、必要以上に貯湯タンク内の湯を使用することを防止する。
【００１５】
第６の発明の貯湯式給湯機は、特に第４の発明において、外気温度を検出する外気温度
検出手段を備え、ミスト運転ＯＮ信号を受信してから第３の設定時間経過すると、リモコンで設定したミスト発生装置へ供給する湯水の設定温度を外気温度で補正した温度になるように湯水混合装置を制御することにより、浴室内の温度が十分に立ち上がったとして、外気温度によって夏季と判断した場合には、設定温度より低くすることによって湯の使用量を抑えることができ、また外気温度によって冬季と判断した場合には、設定温度より高くすることによってより快適なミスト環境を提供することができる。
【００１６】
第７の発明の貯湯式給湯機は、特に第１〜第６の発明において、ミスト発生装置へ供給する湯水の設定温度を設定することができるリモコンを備え、制御装置が第２の設定時間経過する前に、ミスト運転ＯＮ信号を受信すると、前記リモコンで設定した前記ミスト発生装置へ供給する湯水の設定温度になるように湯水混合装置を制御することにより、前回のミスト運転から時間があまり経過していないと判断し、浴室内に配管内の湯水を排出することなく、ミスト運転ＯＮ信号を受信するとミスト発生装置に湯水を供給するので、湯水を無駄にすることが無いと同時に、ユーザーは、早くミスト浴を楽しむことができる。
【００１７】
第８の発明において、特に第１〜第６の発明において、ミスト発生装置へ供給する湯水の設定温度を設定することができるリモコンと、外気温度を検出する外気温度検出手段とを備え、制御装置がミスト運転ＯＦＦ信号を第２の設定時間経過する前に、ミスト運転ＯＮ信号を受信すると、前記リモコンで設定した前記ミスト発生装置へ供給する湯水の設定温度を外気温度で補正した温度になるように湯水混合装置を制御することにより、前回のミスト運転から時間があまり経過していないと判断し、浴室内に配管内の湯水を排出することなく、ミスト運転ＯＮ信号を受信するとミスト発生装置に湯水を供給するので、湯水を無駄にすることが無いと同時に、ユーザーは、早くミスト浴を楽しむことができ、なおかつ設定温度を外気温度で補正するので、貯湯タンク内の湯の使用を抑えることができる。
【００１８】
第９の発明において、特に第１〜第８の発明において、ミスト運転ＯＮ信号を受信してから第４の設定時間が経過すると、制御装置がリモコンで設定したミスト発生装置へ供給する湯水の設定温度よりも低い温度になるように湯水混合装置を制御することにより、浴室内の温度は十分に安定したと判断し、設定温度よりも低い温度になるように制御しても使い勝手を損なうことなく、また貯湯タンク内の湯の使用を抑えることができる。
【００１９】
以下、本発明の実施の形態について、図面を参照しながら説明する。なお、この実施の形態によって本発明が限定されるものではない。
【００２０】
（実施の形態１）
図１は、本実施の形態におけるミスト発生装置の構成図である。実線矢印は湯水の流通方向を示し、点線矢印は通信を示している。図１において、貯湯タンク１には、ヒートポンプや電気ヒーターなどで加熱された湯が貯えられる。本実施の形態では、ヒートポンプ２によって加熱を行い、貯湯タンク１に湯を貯えているが、本実施の形態に限定されることがなく、電気ヒーターなどで貯湯タンク１内の湯を加熱してもよい。
【００２１】
ヒートポンプ２は、水冷媒熱交換器２１、圧縮機２２、蒸発器２４、膨張弁２３を冷媒配管により順次環状に接続して構成されており、冷媒には二酸化炭素を使用しているため、高圧側では臨界圧力を超えるので、水冷媒熱交換器２１を流通する水に熱を奪われて温度が低下しても凝縮することがなく、水冷媒熱交換器で冷媒と水との間で温度差を形成しやすくなり、高温の湯が得られ、かつ熱交換効率を高くすることができる。また、比較的安価でかつ安定な二酸化炭素を冷媒に使用しているので、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球
環境に優しい製品を提供できる。
【００２２】
また、圧縮機２２で冷媒が圧縮され、圧縮機２２から吐出された冷媒が水冷媒熱交換器２１で放熱し、膨張弁２３で減圧されたあと、蒸発器２４で空気から熱を吸収し、ガス状態で再び圧縮機２２に吸入される。なお、圧縮機の能力制御および膨張弁２３の開度制御は、圧縮機２２の吐出側に設けたサーミスタ（図示せず）で検出される吐出冷媒の温度が予め設定された温度を維持するように制御される。また、貯湯タンク１内の湯水は、水ポンプ２５が作動することで、水冷媒熱交換器２１に流入し、冷媒と熱交換を行い、再び貯湯タンク１に戻り、積層状態で貯湯タンク１の上部に高温の湯が貯えられる。
【００２３】
一方、給湯端末８や浴槽７、ミスト発生装置９への出湯に伴い、貯湯タンク１の上方部に配設された出湯管３から高温の湯が出湯され、風呂湯温制御手段である電動式混合弁４、給湯端末湯温制御手段である電動式混合弁５、ミスト湯温制御手段である電動式混合弁６にて水と適温に混合される。同時に、貯湯タンク１の下方部に接続されている水を供給する給水管７０から水が供給される。本実施の形態１においては、電動式混合弁４で混合された湯水は浴槽７へ、電動式混合弁５で混合された湯水は給湯端末（蛇口）８へ、電動式混合弁６で混合された湯水はミスト発生装置９へ供給される。また、本実施の形態において、湯と水との混合手段には電動式混合弁を用いたが、ワックスサーモ混合弁を用いて出力温度を一定にした構成にしてもよい。
【００２４】
また、水冷媒熱交換器２１から貯湯タンク１に高温の湯として戻される戻り口５１は、出湯管３とは別に設けてあり、このように構成することでミスト発生装置もしくはミスト発生装置以外の部位へ湯水を供給しながら、貯湯タンク１内の湯を沸き上げることができる。１つの熱源からミスト発生装置以外の部位に加えて、ミスト発生装置へ湯水を供給することで湯切れが発生しやすくなるが、このように構成することで、ミスト発生装置へ湯水を供給してもなお、湯切れの心配がない。以下、それぞれの装置への出湯回路の構成について説明する。
【００２５】
浴槽７と電動式混合弁４との間には、貯湯タンク１から供給される湯水の停止を行う二方向の風呂回路遮断手段である電磁弁４１と、浴槽７へ供給される湯水の流量を検出する風呂流量検出手段である流量センサ４２と、浴槽７へ供給される湯水の温度を検出する風呂湯温検出手段であるサーミスタ４３を設けており、サーミスタ４３の検出値に基づいて電動式混合弁４の制御を行う。
【００２６】
給湯端末（蛇口）８と電動式混合弁５との間には、貯湯タンク１から供給される湯水の流量を検出する給湯端末流量検出手段である流量センサ４４と、給湯端末（蛇口）８へ供給される湯水の温度を検出する給湯端末湯温検出手段であるサーミスタ４５を設けており、サーミスタ４５の検出値に基づいて電動式混合弁５の制御を行う。
【００２７】
ミスト発生装置９と電動式混合弁６の間には、貯湯タンク１から供給される湯水の停止を行う二方向のミスト回路遮断手段である電磁弁４６と、ミスト発生装置９へ供給される湯水の流量を検出するミスト流量検出手段である流量センサ４７と、ミスト発生装置９へ供給される湯水の温度を検出するミスト温度検出手段であるサーミスタ４８を設けており、サーミスタ４８の検出値に基づいて電動式混合弁６の制御を行う。また、ミスト発生装置９の湯水を噴出するミストノズルと電動式混合弁６との間の配管には、三方弁６０を介設しており、一方の出口には、ミストノズルへ湯水を供給する配管を接続し、もう一方の出口には、浴室の洗い場に水を排出するための配管６１に接続される。
【００２８】
また、本実施の形態において、ミスト発生装置９を制御するミスト発生装置側の制御手段３１であるマイクロコンピュータと、電動式混合弁４、５、６を制御する給湯ユニット
側の制御手段３０であるマイクロコンピュータを有しているが、これに限定されることなく、制御手段３０でミスト発生装置９を制御してもよい。また本実施の形態においては、リモコン１０において、浴槽７への湯張り、給湯端末（蛇口）８の温度設定、ミスト発生装置９の各種設定を行っているが、適宜リモコンを複数設けて、例えば、ミスト発生装置９専用のリモコンを設ける構成としてもよい。また、リモコン１０には、制御手段３０および制御手段３１からの指令で情報を表示したり、音声を発生する構成としているので、ユーザーが理解しやすいリモコンとなっている。
【００２９】
以下、浴槽７、給湯端末（蛇口）８、ミスト発生装置９への出湯について説明する。
【００３０】
ユーザーは、浴室内に設置されたリモコン１０で、所望の浴槽への湯張り量、湯張り温度を設定し、それぞれの設定値をリモコン１０から浴槽への湯張りを制御する制御手段３０に送信することで、浴槽への自動湯張りができる。
【００３１】
また、給湯端末（蛇口）８から出湯させたい時には、リモコン１０で所望の給湯温度を設定し、リモコン１０から給湯端末（蛇口）８の出湯温度を制御する制御手段３０へと送信することにより、サーミスタ４５の温度に基づいて電動式混合弁５を制御して給湯端末（蛇口）８から出湯することができる。
【００３２】
ミスト発生装置９は、貯湯タンク１から供給される湯水をミストノズルから浴室内にミスト状に噴出させる装置であり、浴室内でのサウナ浴を実現することができる。リモコン１０には、ミスト発生装置９の起動／停止のみならず、ミスト発生動作の詳細な設定（例えば、風量、温度など）も設定できる構成となっており、リモコン１０からミスト発生装置９を制御する制御手段３１へと運転開始の信号を送信することにより、ミスト発生装置を操作することができる。また制御装置３１から制御装置３０にミスト運転ＯＮ信号が送信されることにより、サーミスタ４８の温度に基づいて電動式混合弁６が制御される。このようにサウナ浴の設定は、年齢、性別などにより個人差が大きく、リモコン１０で各人が所望の設定に切り替えられるのは非常に利便性がよい。
【００３３】
以上のように構成された貯湯式給湯機について、以下、ミスト発生装置９の動作・作用について説明する。
【００３４】
リモコン１０にてミスト運転をＯＮにすると、制御装置３１（マイクロコンピュータ）にミスト運転開始情報を送信し、給湯ユニット側の制御装置３０（マイクロコンピュータ）にミスト運転開始情報を伝えられ、ミスト運転が開始される。
【００３５】
一方、三方弁６０が配管６１側に駆動することにより、ミストノズルには湯水が供給されず、配管６１を通じて配管内に溜まった冷水を排出する。そして所定時間経過後に、三方弁６０がミストノズル側に駆動することにより、ミストノズルに湯水が供給され、ミストノズルからは冷水が噴出されることがないので、ユーザーを不快に感じさせることなく、快適なミスト浴を楽しむことができる。
【００３６】
以下、場合に分けてミスト発生装置９に供給される湯水の温度の制御について説明する。
【００３７】
1)ミスト運転停止状態が長い状態からミスト運転が開始された場合。
【００３８】
図２は、ミスト発生装置９に供給される湯温のタイムチャートである。図２において、第２の設定時間（Ｔ２）を設けており、ミスト運転停止時間が第２の設定時間（Ｔ２）よりも長い状態からミスト運転が開始されると、ミスト運転が開始されてから第１の設定時
間（Ｔ１）の間は、リモコン１０にて設定した温度よりも低い温度になるように電動式混合弁６が制御される。このように設定温度よりも低い温度になるように電動式混合弁６を制御することで、この時点では三方弁６０が配管６１側に駆動しており、浴室内に排出されるおそれがあるため、浴室内に高温水が排出することを防止している。
【００３９】
そして第１の設定時間（Ｔ１）が経過後、ミスト運転が開始されてから第３の設定時間（Ｔ３）が経過するまでは、リモコン１０にて設定した温度よりも高い温度になるように電動式混合弁６が制御される。このよう設定温度よりも高い温度になるように電動式混合弁６を制御することで、浴室内を素早くサウナ状態にすることができる。また、三方弁６０をミスト発生装置側に切り替えるタイミングは、第１の設定時間が経過するまでが望ましく、第１の設定時間経過後に三方弁６０を切り替えると、浴室内に高温水が排出するおそれがある。
【００４０】
第３の設定時間（Ｔ３）経過後から第４の設定時間（Ｔ４）が経過するまでは、サーミスタ４８の検出値がリモコン１０で設定されたミスト温度になるように、電動式混合弁６の開度を制御する。
【００４１】
また、外気温度を検出するサーミスタ６２を設けて、サーミスタ６２で検出される外気温度に基づいて設定温度を補正し、補正した温度になるように電動式混合弁６の開度を制御してもよい。図３、図４は外気温度で補正した温度になるように電動式混合弁６の開度を制御したタイムチャートである。図３は外気温度が高く夏季と判断した場合のタイムチャートで、設定温度よりも少し低い温度になるように電動式混合弁６の開度を制御している。また、図４は外気温度が低く冬季と判断した場合のタイムチャートで、設定温度よりも少し高い温度になるように電動式混合弁６の開度を制御している。このように制御することで、より快適なミスト浴を楽しむことができる。
【００４２】
ミスト運転を開始してから第４の設定時間（Ｔ４）経過後は、十分に浴室が暖まり温度が安定しており、ミスト温度を下げても仕様感を損なうことがないため、リモコン１０で設定した設定温度よりも低い温度になるように電動式混合弁６の開度を制御している。このように制御することで、貯湯タンク１から出湯される高温の湯の使用を抑え、湯切れを防止することができる。
【００４３】
2)ミスト運転停止状態が短い状態からミスト運転が開始された場合。
【００４４】
図５は、ミスト発生装置９に供給される湯温のタイムチャートである。図５において、第２の設定時間（Ｔ２）を設けており、ミスト運転停止時間が第２の設定時間（Ｔ２）よりも短い状態からミスト運転が開始されると、前回のミスト運転から時間が経過していないとして、三方弁６０を配管６１側にすることなく、ミスト発生装置９側のまま、湯水の供給を開始する。
【００４５】
ミスト運転が開始されるとサーミスタ４８の検出値がリモコン１０で設定されたミスト温度になるように、電動式混合弁６の開度を制御する。
【００４６】
また、外気温度を検出するサーミスタ６２を設けて、サーミスタ６２で検出される外気温度に基づいて設定温度を補正し、補正した温度になるように電動式混合弁６の開度を制御してもよい。図６、図７は外気温度で補正した温度になるように電動式混合弁６の開度を制御したタイムチャートである。図６は外気温度が高く夏季と判断した場合のタイムチャートで、設定温度よりも少し低い温度になるように電動式混合弁６の開度を制御している。また、図７は外気温度が低く冬季と判断した場合のタイムチャートで、設定温度よりも少し高い温度になるように電動式混合弁６の開度を制御している。このように制御する
ことで、より快適なミスト浴を楽しむことができる。
【００４７】
ミスト運転を開始してから第４の設定時間（Ｔ４）経過後は、十分に浴室が暖まり温度が安定しており、ミスト温度を下げても仕様感を損なうことがないため、リモコン１０で設定した設定温度よりも低い温度になるように電動式混合弁６の開度を制御している。このように制御することで、貯湯タンク１から出湯される高温の湯の使用を抑え、湯切れを防止することができる。
【００４８】
また、各段階においてサーミスタ４８の検出値に基づいて電動式混合弁６を制御するが、目標としている温度をサーミスタ４８で検出しない場合には、何らかの異常があるとしてリモコン１０に、例えば「ミスト異常です」などの表示をすることで、ミスト発生装置９の異常を知らせるとともに、給湯端末（蛇口）８や浴槽７の回路は異常ではないので、継続して使用することができる。
【００４９】
また、本実施の形態で設定した第１〜第４の設定時間は、貯湯式給湯機の仕様によって適宜任意に設定できるが、第１の設定時間＜第３の設定時間＜第４の設定時間の関係を有するものであればどのような値に設定してもよい。
【００５０】
以上のように、ミスト温度を時間経過ごとに設定することで、湯の使用を抑えた最適なミスト運転を行うことができ、ミスト運転開始初期段階には、配管内に残っている水を浴室内に排出することで、ミスト発生装置に冷水を供給することがなく、また、浴室内には高温の湯水を排出することがないので、ユーザーに不快感を与えることの無いミスト環境を提供することができる。
【産業上の利用可能性】
【００５１】
以上のように、本発明はヒートポンプ式の貯湯式温水器に限らず、電気、ガス、石油、燃料電池などいずれの方式においても、一つの貯湯タンクから複数の給湯機器に湯水を供給する貯湯式温水器に利用することができる。
【図面の簡単な説明】
【００５２】
【図１】実施の形態１における貯湯式給湯機の構成図
【図２】実施の形態１におけるミスト温度のタイムチャート
【図３】実施の形態１におけるミスト温度のタイムチャート
【図４】実施の形態１におけるミスト温度のタイムチャート
【図５】実施の形態１におけるミスト温度のタイムチャート
【図６】実施の形態１におけるミスト温度のタイムチャート
【図７】実施の形態１におけるミスト温度のタイムチャート
【図８】従来の実施の形態におけるミスト発生装置の構成図
【符号の説明】
【００５３】
１  貯湯タンク
２  ヒートポンプ
３  出湯管
４  電動式混合弁
５  電動式混合弁
６  電動式混合弁
７  浴槽
８  給湯端末（蛇口）
９  ミスト発生装置
１０  リモコン
２１  水冷媒熱交換器
２２  圧縮機
２３  膨張弁
２４  蒸発器
２５  水ポンプ
３０  マイクロコンピュータ（制御手段）
３１  マイクロコンピュータ（制御手段）
４１  電磁弁（風呂回路遮断手段）
４２  流量検出装置（風呂流量検出手段）
４３  サーミスタ（風呂湯温検出手段）
４４  流量検出装置（給湯端末流量検出手段）
４５  サーミスタ（給湯端末湯温検出手段）
４６  電磁弁（ミスト回路遮断手段）
４７  流量検出装置（ミスト流量検出手段）
４８  サーミスタ（ミスト温度検出手段）
５１  戻り口
６０  三方弁
６１  配管
６２  サーミスタ（外気温度検出手段）
【図１】
2008095980.tif 000003
【図２】
2008095980.tif 000004
【図３】
2008095980.tif 000005
【図４】
2008095980.tif 000006
【図５】
2008095980.tif 000007
【図６】
2008095980.tif 000008
【図７】
2008095980.tif 000009
【図８】
2008095980.tif 000010